(57)【要約】【課題】目視によって画像の真偽が判別しやすい画像表示デバイス、画像表示デバイスの製造方法、および、転写リボンを提供する。【解決手段】変色温度以上で不可逆的に色を変える感熱着色剤と透明樹脂とを含む透明部４４と、第１の画像セルと第２の画像セルとを含み前記透明部４４に覆われる複数の画像セル２５と、を備る。前記複数の画像セル２５の各々は、光を吸収して発熱する光吸収剤を含み前記透明層に接する接着層と、画像を表示するための回折格子を有する回折層と、を備る。前記第１の画像セルが、前記透明部４４の中で変色していない前記感熱着色剤を含む部分に覆われ、前記第２の画像セルが、前記透明層の中で変色している前記感熱着色剤を含む部分に覆われている。【選択図】図２
2015123593.tif 000002
【特許請求の範囲】
【請求項１】
変色温度以上で不可逆的に色を変える感熱着色剤と透明樹脂とを含む透明被覆層と、
第１の画像セルと第２の画像セルとから構成されて前記透明被覆層に覆われる複数の画像セルと、
を備え、
前記複数の画像セルの各々は、
光を吸収して発熱する光吸収剤を含み前記透明被覆層に接する接着層を備え、
前記第１の画像セルが、
画像を表示するための回折格子を有する回折層を備えて、
前記透明被覆層の中で変色していない前記感熱着色剤を含む部分に覆われ、
前記第２の画像セルの少なくとも一部が、
前記透明被覆層の中で変色している前記感熱着色剤を含む部分に覆われている
画像表示デバイス。
【請求項２】
前記複数の画像セルは、複数の前記第１の画像セルを含み、
複数の前記第１の画像セルの各々は、
相互に異なる前記回折格子を備えて相互に異なる波長の回折光を所定の視点に向ける
請求項１に記載の画像表示デバイス。
【請求項３】
前記第２の画像セルは、所定の視点に対して光を拡散する拡散層を備えている
請求項２に記載の画像表示デバイス。
【請求項４】
前記第１の画像セルは、前記回折格子を有して回折光を視点に向ける転写層を備え、
相互に異なる複数の前記転写層が重なっている
請求項２又は３に記載の画像表示デバイス。
【請求項５】
前記第２の画像セルは、回折格子を有して回折光を視点に向ける転写層を備え、
前記第２の画像セルの有する前記転写層が前記拡散層に覆われている
請求項３に記載の画像表示デバイス。
【請求項６】
前記感熱着色剤の変色温度は、前記接着層が含む感熱接着剤のガラス転移温度、および、前記透明樹脂のガラス転移温度よりも高い
請求項１〜５のいずれか１つに記載の画像表示デバイス。
【請求項７】
転写リボンに形成された転写層の一部を中間転写リボンの受像層に転写して前記中間転写リボンに複数の画像セルを形成する第１転写工程と、
前記複数の画像セルが転写された前記受像層をシートに転写する第２転写工程と、
前記複数の画像セルの中の一部の画像セルに向けてレーザーを照射するレーザー照射工程と、を含み、
前記転写層は、光を吸収して発熱する光吸収剤を含み前記受像層に接着する接着層と、
画像を表示するための回折格子を有して前記接着層と前記転写リボンの基材との間に位置する回折層と、を備え、
前記受像層は、変色温度以上で不可逆的に色を変える感熱着色剤と透明樹脂とを含み前記接着層が接着する透明被覆層であり、
前記レーザー照射工程では、
前記一部の画像セルにおいて、前記接着層に含まれる光吸収剤をレーザーで発熱させて、前記受像層の中で前記一部の画像セルに接する部分にて前記感熱着色剤を変色させる
画像表示デバイスの製造方法。
【請求項８】
前記レーザー照射工程において、
前記一部の画像セルは、カラー原画像の色分解から得られる墨版画像を表示する位置に形成される
請求項７に記載の画像表示デバイスの製造方法。
【請求項９】
中間転写リボンの受像層に転写される転写層を備えた転写リボンであって、
前記受像層は、
変色温度以上で不可逆的に色を変える感熱着色剤を含む透明な層であり、
前記転写層は、
光を吸収して発熱する光吸収剤を含み前記受像層に接着する接着層と、画像を形成するための回折格子を有して前記接着層と前記転写リボンの基材との間に位置する回折層と、を備える
転写リボン。
【発明の詳細な説明】
【技術分野】
【０００１】
本開示の技術は、画像を表示する画像表示デバイス、画像表示デバイスの製造方法、および、転写リボンに関する。
【背景技術】
【０００２】
個人認証媒体の一例であるパスポートは、所有者の顔画像を表示する所有者表示部を有している。顔写真の掲載による顔画像の表示は、顔写真の張り替えによる改竄のおそれがあるため、近年の所有者表示部は、顔写真の掲載に代えて、所有者の顔画像を紙面に再現して固定することを採用している。画像再現方法には、例えば、蛍光インクを用いて顔画像を再現する方法、無色または淡色の蛍光染料と有色の顔料とを含むインクを用いて顔画像を再現する方法、パール顔料を用いて顔画像を再現する方法などが知られている（例えば、特許文献１、２、３を参照）。
【先行技術文献】
【特許文献】
【０００３】
【特許文献１】特開２０００−１４１８６３号公報
【特許文献２】特開２００２−２２６７４０号公報
【特許文献３】特開２００３−１７０６８５号公報
【発明の概要】
【発明が解決しようとする課題】
【０００４】
しかしながら、上述の画像再現方法で再現された顔画像であっても、顔画像の有する視覚効果が簡素であるため、偽造や改竄が容易であって、顔画像の真偽を目視で判別することが困難である。
【０００５】
本開示の技術は、目視による画像の真偽の判別が容易である画像表示デバイス、画像表示デバイスの製造方法、および、転写リボンを提供することを目的とする。
【課題を解決するための手段】
【０００６】
上記課題を解決する画像表示デバイスは、変色温度以上で不可逆的に色を変える感熱着色剤と透明樹脂とを含む透明被覆層と、第１の画像セルと第２の画像セルとから構成されて前記透明被覆層に覆われる複数の画像セルと、を備える。前記複数の画像セルの各々は、光を吸収して発熱する光吸収剤を含み前記透明被覆層に接する接着層と、画像を表示するための回折格子を有する回折層と、を備える。そして、前記第１の画像セルが、前記透明被覆層の中で変色していない前記感熱着色剤を含む透明部に覆われ、前記第２の画像セルの少なくとも一部が、前記透明層の中で変色している前記感熱着色剤を含む有色部に覆われている。
【０００７】
上記課題を解決する画像表示デバイスの製造方法は、転写リボンに形成された転写層の一部を中間転写リボンの受像層に転写して前記中間転写リボンに複数の画像セルを形成する第１転写工程と、前記複数の画像セルが転写された前記受像層をシートに転写する第２転写工程と、前記複数の画像セルの中の一部の画像セルに向けてレーザーを照射するレーザー照射工程と、を含む。前記転写層は、光を吸収して発熱する光吸収剤を含み前記受像層に接着する接着層と、画像を表示するための回折格子を有して前記接着層と前記転写リボンの基材との間に位置する回折層と、を備える。前記受像層は、変色温度以上で不可逆的に色を変える感熱着色剤と透明樹脂とを含み前記接着層が接着する透明被覆層である。そして、前記レーザー照射工程では、前記一部の画像セルにおいて、前記接着層に含まれる光吸収剤をレーザーで発熱させて、前記受像層の中で前記一部の画像セルに接する部分にて前記感熱着色剤を変色させる。
【０００８】
上記構成によれば、画像セルの接着層が変色温度以上に昇温することによって、その画像セルと接する透明被覆層に有色部が形成される。第１の画像セルからの回折光は、透明層を通して画像として表示される一方で、第２の画像セルからの回折光は、有色部によって弱められて視認され難くなる。そして、画像表示デバイスの表示する画像に、第２の画像セルの表示する画像が含まれているか否かによって、画像表示デバイスの表示する画像の真偽を判別することが可能である。また、画像表示デバイスの表示する画像に、第２の画像セルの表示する画像が含まれるとしても、第２の画像セルの表示する画像が所定の画像であるか否かによって、画像表示デバイスの真偽を判別することが可能である。結果として、画像表示デバイスの真偽が判別しやすくなる。
【０００９】
上記画像表示デバイスにおいて、前記複数の画像セルは、複数の前記第１の画像セルを含み、複数の前記第１の画像セルの各々は、相互に異なる前記回折格子を備えて相互に異なる波長の回折光を所定の視点に向けることが好ましい。
【００１０】
上記構成によれば、複数の第１の画像セルの各々は、相互に異なる波長の回折光を視点に向けるため、視点において視認される画像が２以上の色を含むカラー画像として表示される。そして、複数の第１の画像セルの表示するカラーの画像は、それの視認される視点の範囲が限定的であるため、画像表示デバイスを視認する方向によって、視認される画像が大きく変わる。
上記画像表示デバイスにおいて、前記第２の画像セルは、所定の視点に対して光を拡散する拡散層を備えていることが好ましい。
【００１１】
上記構成によれば、有色部に覆われる第２の画像セルが視点に対して光を拡散するため、第１の画像セルの表示する画像と、第２の画像セルの表示する画像との間において、画像におけるエッジの強度や画像における濃淡などの差異が広げられる。
上記画像表示デバイスにおいて、前記第１の画像セルは、前記回折格子を有して回折光を視点に向ける転写層を備え、相互に異なる複数の前記転写層が重なっていることが好ましい。
上記構成によれば、画像表示デバイスの表示する画像がきめ細やかになる。
上記画像表示デバイスにおいて、前記第２の画像セルは、回折光を視点に向ける転写層を備え、前記第２の画像セルの有する前記転写層が前記拡散層に覆われていることが好ましい。
上記構成によれば、転写層からの回折光が拡散層によって拡散される。
【００１２】
上記画像表示デバイスにおいて、前記感熱着色剤の変色温度は、前記接着層が含む感熱接着剤のガラス転移温度、および、前記透明樹脂のガラス転移温度よりも高いことが好ましい。
【００１３】
上記構成によれば、有色部の形成を含め、画像表示デバイスの製造過程において接着層や透明被覆層にガラス転移が生じにくいことから、接着層のガラス転移や透明被覆層のガラス転移に起因して画像が不明瞭になることが抑えられる。
【００１４】
上記画像表示デバイスの製造方法において、前記レーザー照射工程では、前記一部の画像セルが、カラー原画像の色分解から得られる墨版画像を表示する位置に形成されることが好ましい。
【００１５】
上記構成によれば、画像表示デバイスが示す画像のカラー原画像の墨版に基づいて、レーザーが照射される画像セルが規定される。そのため、第２の画像セルの表示する画像は、カラー原画像において墨版に相当する部分となる。これによって、第１の画像セルの表示する画像と、第２の画像セルの表示する画像との間において、画像におけるエッジの強度や画像における濃淡などの差異が広げられる。
【００１６】
上記課題を解決する転写リボンは、中間転写リボンの受像層に転写される転写層を備えた転写リボンであって、前記受像層は、変色温度以上で不可逆的に色を変える感熱着色剤を含む透明な層であり、前記転写層は、光を吸収して発熱する光吸収剤を含み前記受像層に接着する接着層と、画像を形成するための回折格子を有して前記接着層と前記転写リボンの基材との間に位置する回折層とを備える。
【００１７】
上記構成によれば、光吸収剤の発熱によって感熱着色剤の色が変わるため、転写層の一部に有色部を形成することができる。そして、画像を形成するための回折層が、有色部と透明部とによって覆われるため、回折層からの回折光の一部は、透明部を通して画像として表示される一方で、回折光の他部は、有色部によって弱められて視認され難くなる。結果として、回折層の表示する画像に、有色部によって弱められた光による画像が含まれるか否かによって、画像の真偽を判別することが可能である。
【発明の効果】
【００１８】
本開示の技術によれば、目視による画像の真偽の判別が容易である。
【図面の簡単な説明】
【００１９】
【図１】本開示の技術における画像表示デバイスの一例である画像表示部を備えた個人認証媒体を画像表示部の設けられた紙面を開いた状態で示す平面図である。
【図２】画像表示部の断面構造を示す断面図である。
【図３】転写リボンの断面構造を示す断面図である。
【図４】中間転写リボンの断面構造を示す断面図である。
【図５】中間転写リボンに画像セルが転写された状態を示す断面図である。
【図６】シートに画像セルが転写された状態を示す断面図である。
【図７】レーザーを用いたパターニングを示す工程図である。
【図８】転写リボンの構成の一例を示す構成図である。
【図９】カラー原画像の色分解の一例を顔画像によって模式的に示す模式図である。
【図１０】個人認証媒体に画像を形成する装置の構成の示す装置構成図である。
【図１１】レーザーを用いた他のパターニングを示す工程図である。
【発明を実施するための形態】
【００２０】
図１〜図１０を参照して、本開示の技術における画像表示デバイス、画像表示デバイスの製造方法、および、転写リボンの一実施形態を説明する。
【００２１】
［個人認証媒体１０の構成］
図１が示すように、個人認証媒体１０は、綴込み紙１１と表紙１２とによって構成される冊子体であって、複数の紙面１３を有している。紙面１３には、文字列や地紋などの紙面情報１４が印刷されている。紙面１３は、個人情報が記録されたＩＣチップや、外部と非接触で通信するためのアンテナなどを有してもよい。
【００２２】
表紙１２は、個人情報を含む画像を表示する表示機能を有し、綴込み紙１１を挟むように二つに折られている。個人情報は、所有者の認証に利用される個人認証情報を含み、例えば、生体情報と非生体個人情報とに分類される。生体情報は、所有者の有する生体的な特徴を示す。生体情報は、例えば、顔、指紋、静脈、および、虹彩の少なくとも１つであって、光学的手法によって読み取り可能な形式で記録されている。非生体個人情報は、生体情報以外の個人情報である。非生体個人情報は、例えば、氏名、生年月日、年齢、血液型、性別、国籍、住所、本籍地、電話番号、所属、および、身分の少なくとも１つである。非生体個人情報は、タイピングによって形成された文字であってもよいし、所有者の手書きの署名であってもよいし、これらの組み合わせであってもよい。
【００２３】
表紙１２は、第１画像表示部１５、第２画像表示部１６、第３画像表示部１７、および、第４画像表示部２０を備えている。
第１画像表示部１５、第２画像表示部１６、および、第３画像表示部１７は、光の波長、および、光の振幅を記憶する部分であって、光の吸収を利用して画像を表示する。例えば、第１画像表示部１５、第２画像表示部１６、および、第３画像表示部１７に白色光が照射されるとき、第１画像表示部１５の各部位、第２画像表示部１６の各部位、および、第３画像表示部１７の各部位は、そこで記憶する光の波長や光の振幅に応じた可視光を反射して視認できる画像を表示する。
【００２４】
第４画像表示部２０は、光の波長、光の振幅、および、光の位相を記憶する部分であって、光の回折を利用して画像を表示する。例えば、第４画像表示部２０に白色光が照射されるとき、第４画像表示部２０の各部位は、そこで記憶する光の波長、光の振幅、および、光の位相に応じて光を回折して視認できる画像を表示する。
【００２５】
第１画像表示部１５、第２画像表示部１６、および、第３画像表示部１７は、例えば、染料、および、顔料を形成材料として含む。第１画像表示部１５、第２画像表示部１６、および、第３画像表示部１７は、サーマルヘッドを用いた熱転写記録法、インクジェット記録法、電子写真法、または、これらの２つ以上の組み合わせによって形成される。この他、第１画像表示部１５、第２画像表示部１６、および、第３画像表示部１７は、感熱発色剤を含んだ層に対するレーザビームによる描画によっても形成されてもよいし、これら方法の組み合わせによって形成されてもよい。第２画像表示部１６、および、第３画像表示部１７の少なくとも１つは、ホットスタンプを用いた熱転写記録法によって形成されてもよく、印刷法によって形成されてもよく、これらの組み合わせによって形成されてもよい。
【００２６】
第４画像表示部２０は、回折格子を有したホログラム素子を有している。第４画像表示部２０は、例えば、サーマルヘッドを用いた熱転写記録と、ホットスタンプまたは熱ロールを用いた熱転写記録とをこの順に行うことによって形成される。
【００２７】
第１画像表示部１５の表示する画像、および、第４画像表示部２０の表示する画像は、所有者の顔画像である。第１画像表示部１５の表示する画像に含まれる顔画像と、第４画像表示部２０の表示する画像に含まれる顔画像とは、外形寸法が等しくてもよく、異なってもよい。第１画像表示部１５の表示する画像、および、第４画像表示部２０の表示する画像の各々は、顔画像の代わりに他の生体情報を含んでもよく、顔画像に加えて顔画像以外の生体情報をさらに含んでもよい。第４画像表示部２０の表示する画像は、生体情報の代わりに非生体個人情報を含んでもよく、生体情報に加えて非生体個人情報をさらに含んでもよい。第４画像表示部２０の表示する画像は、個人情報の代わりに非個人情報を含んでもよく、個人情報に加えて非個人情報を更に含んでもよい。
【００２８】
第２画像表示部１６の表示する画像は、非生体個人情報と非個人情報とを含む。第２画像表示部１６の表示する画像は、例えば、文字、記号、符号、および、標章の１つ以上から構成されている。
【００２９】
第３画像表示部１７の表示する画像は、地紋である。例えば、第３画像表示部１７の表示する画像が、第１画像表示部１５の表示する画像や、第４画像表示部２０の表示する画像と重なることによって、個人認証媒体１０の改竄はさらに抑えられる。
【００３０】
［第４画像表示部２０の構成］
図２が示すように、第４画像表示部２０は、表紙１２を構成するシート２１と、シート２１の上に位置する多層構造体２２とを備えている。多層構造体２２は、複数の画像セル２５と、透明被覆層の一例である受像層４３と、剥離保護層４２とを備えている。
【００３１】
複数の画像セル２５の各々は、シート２１の有する１つの面であるセル形成面２１ａ上に位置している。受像層４３は、複数の画像セル２５の各々を覆い、かつ、シート２１のセル形成面２１ａの中で画像セル２５によって覆われていない部分も覆っている。受像層４３は、透明部４４と、透明部４４の一部である有色部４５とから構成されて、有色部４５は、複数の画像セル２５から選択された画像セル２５の少なくとも一部を覆っている。
画像セル２５の有する面においてセル形成面２１ａと対向する面は、画像セル２５の下面であって、有色部４５は、画像セル２５の上面に限らず、画像セル２５の有する面の中で下面以外の面に接触して接触先となる面の少なくとも一部を覆っていればよい。剥離保護層４２は、受像層４３を覆っている。
【００３２】
複数の画像セル２５の中で透明部４４と接触する画像セル２５は、第１の画像セル２５ａであって、画像セル２５からの回折光が視認される画像セル２５である。また、複数の画像セル２５の中で有色部４５と接触する画像セル２５は、第２の画像セル２５ｂであって、画像セル２５からの回折光が視認され難い画像セル２５である。
【００３３】
［第４画像表示部２０の製造方法］
以下、第４画像表示部２０の構成を第４画像表示部２０の製造方法と共に説明する。
第４画像表示部２０の製造方法は、第１転写工程、第２転写工程、および、レーザー照射工程を含む。まず、第１転写工程に用いられる転写リボン３０について図３を参照して説明し、次いで、中間転写リボン４０の構成について図４を参照して説明する。
【００３４】
図３が示すように、転写リボン３０は、転写基材３１と転写層３２とを備えている。
転写基材３１は、例えば、樹脂フィルム、および、樹脂フィルムよりも厚く、かつ、その厚みよりも十分に広い表面を有した平面的な樹脂製の薄板を含む樹脂シートである。転写基材３１は、例えば、ポリエチレンテレフタレートなどの耐熱性に優れた材料から形成されている。転写基材３１は、転写層３２を支持する基材であって、転写層３２を支持する転写基材３１の面には、例えば、フッ素樹脂、または、シリコーン樹脂を含む離型層が設けられてもよい。
【００３５】
転写層３２は、剥離層３３、回折層３４、反射層３５、および、接着層３６を備えている。転写基材３１と接着層３６との間には、剥離層３３、回折層３４、および、反射層３５が位置し、剥離層３３と反射層３５との間には、回折層３４が位置している。
【００３６】
剥離層３３は、光透過性を有して典型的には透明である。剥離層３３は、例えば、熱可塑性樹脂から形成されている。中間転写リボン４０に接着層３６が接着するとき、剥離層３３は、転写基材３１から転写層３２が剥離されることを円滑に進行させる機能を発揮する。なお、中間転写リボン４０に接着層３６が接着する状態で、転写基材３１から転写層３２を剥離することが可能であれば、剥離層３３は省略されてもよい。
【００３７】
回折層３４は、回折格子を有したホログラム素子を備え、ホログラム素子は、２次元ホログラム素子であってもよいし、３次元ホログラム素子であってもよい。回折層３４は、回折格子としてレリーフ構造を有した透明層である。回折層３４の形成材料には、光硬化性樹脂、熱硬化性樹脂、および、熱可塑性樹脂などの樹脂が用いられる。
【００３８】
反射層３５は、例えば、透明反射層、または、不透明な金属反射層であって、回折層３４に向けて光を反射することによって、回折層３４が表示する画像の視認性を高める機能を発揮する。反射層３５は、例えば、真空蒸着やスパッタリングなどの真空成膜法によって形成される。なお、回折層３４の表示する画像が視認できる構成であれば、反射層３５は省略されてもよい。
【００３９】
透明反射層は、例えば、回折層３４とは屈折率が異なる透明材料から形成されている。透明反射層は、単層構造を有していてもよく、多層構造を有してもよい。多層構造を有した透明反射層は、透明反射層の内部で反射干渉を繰り返してもよい。透明材料には、例えば、硫化亜鉛、および、二酸化チタンなどの透明誘電体が用いられる。
【００４０】
透明反射層は、厚さが２０ｎｍ未満の金属層であってもよい。金属層の材料には、例えば、クロム、ニッケル、アルミニウム、鉄、チタン、銀、金、および、銅などの単体金属、または、これらの合金が用いられる。不透明な金属反射層には、透明反射層に用いられる金属層と同じ金属層であって、透明反射層よりも厚い金属層が用いられる。
【００４１】
接着層３６は、例えば、熱可塑性樹脂から形成されている。接着層３６は、透明樹脂と、光を吸収して発熱する光吸収剤とを含む。透明樹脂には、例えば、熱可塑性樹脂、熱硬化性樹脂、水分硬化性樹脂、または、紫外線若しくは電子線硬化性樹脂が用いられる。透明樹脂には、例えば、アクリル樹脂、ポリエステル樹脂、または、ポリアミドイミド樹脂が用いられる。光吸収剤には、例えば、赤外線吸収材、紫外線吸収材、または、これらの混合物が用いられる。光吸収剤は、レーザー照射工程に用いられるレーザーの波長に応じて適宜選択される。
【００４２】
赤外線吸収材には、例えば、カーボンブラックなどの炭素材料、フタロシアニン系、アゾ系、および、チオアミド系などの有機金属錯体、ジイミニウム系、アントラキノン系、ポリメチン系、アズレニウム系、スクワリリウム系、および、チオピリリウム系などの有機系赤外線吸収材、または、これらの混合物が用いられる。
【００４３】
紫外線吸収材には、例えば、フェニルサリシレート、ｐ−ｔｅｒｔ−ブチルフェニルサリシレート、および、ｐ−オクチルフェニルサリシレートなどのサリチル酸系紫外線吸収材、２，４−ジヒドロキシベンゾフェノン、２−ヒドロキシベンゾフェノン、２−ヒドロキシ−４−オクトキシベンゾフェノン、２−ヒドロキシ−４−ドデシルオキシベンゾフェノンなどのベンゾフェノン系紫外線吸収材、２−（２’−ヒドロキシ−５’−メチルフェニル）ベンゾトリアゾール、２−（２’−ヒドロキシ−５’−ｔｅｒｔ−ブチルフェニル）ベンゾトリアゾールなどのベンゾトリアゾール系紫外線吸収材、２−エチルヘキシル−２−シアノ−３，３’−ジフェニルアクリレート、および、エチル−２−シアノ−３，３−ジフェニルアクリレートなどのシアノアクリレート系紫外線吸収材、またはこれらの混合物が用いられる。また、紫外線吸収材には、ＴｉＯ２、および、ＺｎＯなどの微粉末から形成されている無機紫外線遮蔽材も用いられる。
【００４４】
光吸収剤の含量は、例えば、接着層３６を構成している組成物１００質量部に対して約０．１質量部以上、約２０質量部以下であることが好ましい。光吸収剤の含量がこうした範囲であることによって、レーザーが照射された際の発熱が十分に得られ、かつ、接着層３６の透明性、および、耐久性等の性能も十分に確保される。
【００４５】
転写基材３１において、転写層３２が形成されている面と反対の面には、バックコート層３７が形成されている。バックコート層３７は、例えば、シリコンアクリレートから形成されている。中間転写リボン４０に対して転写層３２が熱転写されるとき、バックコート層３７は、サーマルヘッドと転写リボン３０との間の密着性を高め、サーマルヘッドと転写リボン３０との間の摩擦を抑え、転写リボン３０に対するサーマルヘッドの熱の伝導性を高める機能を発揮する。なお、転写基材３１とサーマルヘッドとの密着性が確保される構成、転写基材３１とサーマルヘッドとの間の摩擦が十分に抑えられている構成、転写基材３１の熱の伝導性が確保されている構成においては、バックコート層３７は省略されてもよい。
【００４６】
図４が示すように、中間転写リボン４０は、中間転写基材４１と、剥離保護層４２と、受像層４３とを備えている。
中間転写基材４１は、例えば、樹脂フィルム、および、樹脂フィルムよりも厚く、かつ、その厚みよりも十分に広い表面を有した平面的な樹脂製の薄板を含む樹脂シートである。中間転写基材４１は、例えば、ポリエチレンテレフタレートなどの耐熱性に優れた材料から形成されている。中間転写基材４１は、剥離保護層４２と受像層４３とを支持する基材であって、これらを支持する中間転写基材４１の面には、例えば、フッ素樹脂またはシリコーン樹脂を含んだ離型層が設けられてもよい。
【００４７】
剥離保護層４２は、光透過性を有して典型的には透明である。剥離保護層４２は、例えば、熱可塑性樹脂から形成されている。剥離保護層４２は、中間転写基材４１から受像層４３が剥離されるときに、この剥離を安定させると共に、受像層４３の表面の物理的な耐性を高める機能を発揮する。
【００４８】
受像層４３は、転写リボン３０の接着層３６との密着性が良い材料から形成されて感熱接着剤を含む。転写リボン３０の接着層３６が受像層４３に密着して、転写リボン３０がバックコート層３７側からサーマルヘッドで加熱されるとき、受像層４３はそれに転写層３２が転写される機能を発揮する。
【００４９】
受像層４３は、透明樹脂と感熱着色剤とを含み、感熱着色剤は、それの変色温度よりも高い温度に加熱されることによって不可逆的にそれの色を変える。感熱着色剤は、中間転写リボン４０の製造、中間転写リボン４０に対する転写層３２の熱転写、シート２１に対する中間転写リボン４０の熱転写において色を変えないものが用いられる。また、感熱着色剤は、個人認証媒体１０の通常の使用環境においても色を変えないものが用いられる。すなわち、感熱着色剤は、受像層４３を構成している感熱接着剤のガラス転移温度よりも高い温度を変色温度として有するものが用いられる。こうした感熱着色剤の変色温度は、例えば、約２００℃以上である。
【００５０】
感熱着色剤には、示温塗料として知られている物質が用いられる。例えば、感熱着色剤として、サーモクロミック有機色素、金属錯塩結晶、電子供与性呈色性化合物と電子受容性化合物と有極性有機化合物との混合物が用いられる。感熱着色剤として、これらの混合物を用いてもよい。
【００５１】
感熱着色剤の含量は、例えば、受像層４３を構成している組成物１００質量部に対して約０．１質量部以上、約２０質量部以下であることが好ましい。感熱着色剤の含量がこうした範囲であれば、レーザー照射工程において感熱着色剤の発熱が十分に得られ、かつ、受像層４３の透明性、および、受像特性等の性能が十分に確保される。
【００５２】
［第１転写工程］
図５が示すように、第１転写工程では、転写層３２の接着層３６が中間転写リボン４０の受像層４３に密着した状態の転写リボン３０に対して、バックコート層３７側からサーマルヘッドによる局所的な加熱が行われる。サーマルヘッドは、第４画像表示部２０の表示する画像の画像データに基づいて駆動される。その後、転写リボン３０の転写基材３１が剥離層３３から剥離される。中間転写リボン４０の受像層４３には、受像層４３に転写された転写層３２が画像セル２５として形成される。
【００５３】
サーマルヘッドの加熱によって転写される転写層３２は、受像層４３の表面に対向する平面視にてドット状を有している。ドット状の転写層３２は、受像層４３の表面上において、正方格子、三角格子、矩形格子などの仮想的な平面格子の格子点上に位置する。
【００５４】
ドット状を有した転写層３２の径、あるいは、相互に隣り合うドット状を有した転写層３２における最小中心間距離は、例えば、０．０８５ｍｍ以上、０．１６９ｍｍ以下、言い換えれば、約３００ｄｐｉ以上、約１５０ｄｐｉ以下であることが好ましい。この寸法が大きくなると、高精細な画像を表示させることが困難となる。反対に、この寸法が小さくなると、パターン形状の再現性が低下する。
【００５５】
なお、サーマルヘッドの発熱体にも大きさに限界があるため、一般的なサーマルヘッドの分解能は０．０２１ｍｍ以上、０．０１１ｍｍ以下であり、その解像度は、約１２００ｄｐｉ以上、２４００ｄｐｉ以下である。また、回折層３４を有する転写リボン３０を転写するためには、一般的な色リボンと比較して大きなエネルギーが必要であり、サーマルヘッドのサイズは、０．０４２ｍｍ程度であって、解像度は、約６００ｄｐｉである。そして、サーマルヘッドの解像度よりも画像セル２５によるパターンの解像度が小さい構成であれば、相互に隣り合う画像セル２５において、所定の間隔を形成することが容易である。
【００５６】
［第２転写工程］
図６が示すように、第２転写工程では、シート２１に中間転写リボン４０の受像層４３が密着した状態で、中間転写リボン４０が加熱されると共に、シート２１に対して中間転写リボン４０が加圧される。これによって、画像セル２５、受像層４３、および、剥離保護層４２がシート２１に熱転写される。その後、シート２１から中間転写リボン４０の中間転写基材４１が剥離される。これによって、シート２１には、画像セル２５、受像層４３、および、剥離保護層４２が転写される。
【００５７】
［レーザー照射工程］
図７が示すように、レーザー照射工程では、複数の画像セル２５の中で一部の画像セル２５に向けて、レーザーユニット５０からレーザー５１が照射される。レーザーユニット５０から出射されるレーザー５１は、例えば、Ｎｄ：ＹＡＧレーザー、Ｎｄ：ＹＶＯ４レーザー、ＣＯ２ガスレーザなどのレーザーが適用される。
【００５８】
レーザー５１が画像セル２５に向けて照射されることによって、画像セル２５の接着層３６に含まれる光吸収剤が発熱する。そして、光吸収剤が発熱することによって、接着層３６に密着している受像層４３に含まれる感熱着色剤は、変色温度以上に昇温される。そして、受像層４３の透明部４４において画像セル２５の近傍、特に画像セル２５においてレーザー５１を受ける部分の近傍は、感熱着色剤が変色した有色部４５に変わる。これによって、複数の画像セル２５は、透明部４４と接触する第１の画像セル２５ａと、有色部４５と接触する第２の画像セル２５ｂとに分割される。
【００５９】
こうした構成によれば、剥離保護層４２を通してシート２１が目視されるとき、第１の画像セル２５ａからの回折光は視認される一方で、第２の画像セル２５ｂからの回折光は有色部４５によって視認され難い。なお、有色部４５における色の濃さが薄い構成であれば、第２の画像セル２５ｂからの回折光はそれの強度が弱められた光として視認される。また、第２の画像セル２５ｂに回折格子が含まれない構成であれば、第２の画像セル２５ｂからの回折光は視認されず、有色部４５の反射した光の色が視認される。
【００６０】
［カラー画像用の第４画像表示部２０］
カラー画像を表示する第４画像表示部２０の製造方法では、上記転写リボン３０に代えて、カラー用転写リボン５５が用いられる。カラー用転写リボン５５は、カラー用の回折層３４を有する点が上記転写リボン３０とは主に異なる。
【００６１】
図８が示すように、カラー用転写リボン５５は、赤色領域５６、緑色領域５７、青色領域５８、および、拡散領域５９を有している。赤色領域５６、緑色領域５７、青色領域５８、および、拡散領域５９は、カラー用転写リボン５５の長手方向に沿って繰り返されている。赤色領域５６、緑色領域５７、および、青色領域５８は、相互に異なる回折格子を有する領域であり、拡散領域５９は、回折層３４に代えて拡散層を有する領域である。
【００６２】
赤色領域５６が予め定められた視点から目視されるとき、赤色領域５６の全体から赤色の回折光が視認されるように、赤色領域５６の有する回折格子において、その格子パターンのピッチは赤色領域５６内の各位置で異なっている。こうした格子パターンのピッチは、例えば、視点において赤色の一次回折光が視認されるように、赤色領域５６の各位置、視点、照明光の入射角度などを用いた幾何光学的な計算に基づいて定められる。
【００６３】
同様に、緑色領域５７が予め定められた視点から目視されるとき、緑色領域５７の全体から緑色の回折光が視認されるように、緑色領域５７の有する回折格子において、その格子パターンのピッチは緑色領域５７内の各位置で異なっている。青色領域５８が予め定められた視点から目視されるとき、青色領域５８の全体から青色の回折光が視認されるように、青色領域５８の有する回折格子において、その格子パターンのピッチは青色領域５８内の各位置で異なっている。これに対して、拡散領域５９は、拡散領域５９に入射した光を拡散反射する構造を有した拡散層を有している。
【００６４】
カラー用転写リボン５５には、位置決めマーク６０が設けられている。位置決めマーク６０は、転写を行う際の位置決めに用いられるマークであって、サーマルヘッドに対するカラー用転写リボン５５の位置決めに用いられる。位置決めマーク６０は、例えば、回折格子によって特定方向に回折光が射出されるマークである。位置決めマーク６０を用いた位置決めは、位置決めマーク６０に対して照明光を照射する光源と位置決めマーク６０からの回折光を検出する光センサーとを用い、光センサーの検出結果に基づいて行われる。
【００６５】
次に、カラー画像を表示する第４画像表示部２０の製造方法において、第１転写工程にて用いられる画像データを説明する。画像データは、撮像装置による人物の顔の撮像結果、あるいは、人物の顔を含む印画の読み取り結果から得られるデータである。なお、図９では、二次元の位置座標に対して色が対応づけられたデータ構造を、顔画像を用いて擬似的に示す。
【００６６】
図９が示すように、撮像装置によって得られる撮像結果６１は、二次元の座標位置に対して色が対応付けられたデータであって、撮像結果６１は、まず、赤色、緑色、青色の光の三原色に色分解される。これによって、撮像結果６１から、赤色顔画像データ６２、緑色顔画像データ６３、青色顔画像データ６４が得られる。また、撮像結果６１は、イエロー、マゼンタ、シアンのインキの三原色と墨版とに色分解される。これによって、撮像結果６１から、墨版に対応する拡散用顔画像データ６５が得られる。赤色顔画像データ６２に含まれる座標位置は、赤色領域５６に対するサーマルヘッドの加熱位置を定めるために用いられる。緑色顔画像データ６３に含まれる座標位置は、緑色領域５７に対するサーマルヘッドの加熱位置を定めるために用いられる。青色顔画像データ６４に含まれる座標位置は、青色領域５８に対するサーマルヘッドの加熱位置を定めるために用いられる。そして、拡散用顔画像データ６５に含まれる座標位置は、拡散領域５９に対するサーマルヘッドの加熱位置を定めるために用いられる。
【００６７】
第１転写工程では、中間転写リボン４０の受像層４３に対して、赤色領域５６、緑色領域５７、青色領域５８、および、拡散領域５９を用いた転写が順に行われる。
【００６８】
まず、赤色顔画像データ６２の画像データに基づいて赤色領域５６を用いた転写が行われる。この際、サーマルヘッドと中間転写リボン４０との間の空間に、中間転写リボン４０の転写領域に赤色領域５６が対向するようにカラー用転写リボン５５が移送される。そして、位置決めマーク６０を利用してサーマルヘッドに対する赤色領域５６の位置決めが行われる。位置決めが完了すると、カラー用転写リボン５５を適宜移送しつつ、赤色顔画像データ６２の画像データに基づいてサーマルヘッドが駆動され、赤色領域５６の転写層３２が選択的に受像層４３に転写される。そして、転写リボン３０が移送されることによって、受像層４３に接着した転写層３２から転写基材３１が剥離される。これによって、中間転写リボン４０には、赤色領域５６の転写層３２によって赤色顔画像データ６２に基づくパターンが形成される。
【００６９】
こうした転写層３２の転写が緑色領域５７、青色領域５８、および、拡散領域５９に対して行われる。これによって、受像層４３には、赤色領域５６の転写層３２、緑色領域５７の転写層３２、青色領域５８の転写層３２、および、拡散領域５９の転写層３２が選択的に転写された画像セル２５が形成される。そして、このような転写層３２を有する中間転写リボン４０の受像層４３は、カラーの顔画像を表示する。ただし、拡散用顔画像データ６５の部分が拡散構造を有しているため、顔画像の中で輝度の低い領域では散乱光が視認され、結果として、通常のカラー画像とは異なった画像として視認される。
【００７０】
第２転写工程では、シート２１に画像セル２５、受像層４３、剥離保護層４２、および、中間転写基材４１が熱転写されたのちに中間転写基材４１が剥離される。
【００７１】
レーザー照射工程では、拡散用顔画像データ６５の画像データを用いてレーザー５１が照射される。すなわち、画像セル２５の中で拡散領域５９の転写層３２を含む画像セル２５に対してレーザー５１が照射され、受像層４３の透明部４４の一部が有色部４５に変わる。これによって、回折光の視認が容易な第１の画像セル２５ａによって構成される第１のパターンと、回折光の視認が困難な第２の画像セル２５ｂによって構成される第２のパターンとを含む第４画像表示部２０が形成される。
【００７２】
この際に、第１の画像セル２５ａは、第１の転写工程において、単一の転写層３２を有していてもよいし、相互に重なる複数の転写層３２を有していてもよい。また、複数の第２の画像セル２５ｂにおいて、相互に隣り合う画像セル２５が所定の間隔を空けてもよいし、相互に隣り合う画像セル２５同士が接していてもよい。相互に隣り合う第２の画像セル２５ｂが所定の間隔を空けて形成される方法であれば、レーザー５１の照射位置がずれるとしても、光吸収剤が存在していない箇所にレーザー５１が照射されやすい。そして、レーザー５１の照射位置のずれに起因して透明部４４の色変化が生じにくい結果、レーザー５１の照射位置がずれたように画像は表示されず、レーザー５１の照射位置にずれが生じていない場合に比べて、色変化の薄い画像が表示される。
【００７３】
また、拡散構造を有した第２の画像セル２５ｂの表示する画像は、画像における黒色部分、すなわち、第２のパターンの表示する画像部分であって、より引き締まった黒色画像として視認される。さらに、画像におけるカラー部分、すなわち、第１のパターンの表示する画像部分は、回折光による光によって構成されるため、墨版の部分に対応する画像は、単なる光の反射によって表示される画像とは大きく異なる。そして、回折光の画像は視認できる範囲が限定されているため、その範囲から外れると視認できなくなるが、レーザーのパターニングに対応する画像部分において、それの視認できる範囲は、回折光による画像の視認できる範囲よりも広範囲である。このため、これらの画像の視認できる範囲の違いから、目視する方向によって画像が大きく変化する。
【００７４】
以上のように、第４画像表示部２０は、特徴のある視覚効果を有する画像であることから、真偽の判別を容易に行うことが可能となる。また、このような、より複雑で特殊な視覚効果を持った第４画像表示部２０は再現することが難しく、それゆえに、改竄が困難であり、真偽の判別を容易に、かつ、確実に行うことが可能である。
【００７５】
図１０を参照して、個人認証媒体１０に第４画像表示部２０を形成するプリンター７０の一例について説明する。
図１０が示すように、プリンター７０は、挿入ユニット７１を備え、挿入ユニット７１は、第４画像表示部２０が形成される前の個人認証媒体１０をプライマーユニット７２へ案内する。プライマーユニット７２は、プライマー巻出し７３、プライマー巻取り７４、プライマー転写ヘッド７５、および、プライマープラテンロール７６を備えている。プライマーユニット７２は、装置内に案内された個人認証媒体１０に対してプライマーリボン７７を密着させ、個人認証媒体１０の表面にプライマーリボンのプライマー層を転写することによって、プライマー転写工程を行う。
【００７６】
プライマーリボン７７は、個人認証媒体１０のセル形成面２１ａと、転写層３２の接着層３６との接着力を高めるプライマー層をセル形成面２１ａに形成するためのリボンである。プライマーリボンは、ロール状の基材に剥離可能に支持されたプライマー層を備え、プライマー層の材料には感熱接着剤が含まれている。
【００７７】
第１転写ユニット７８は、転写リボン巻出し７９と転写リボン巻取り８０とによって送られるカラー用転写リボン５５と、中間転写リボン巻出し８２から送られた中間転写リボン４０とを密着させる。そして、第１転写ユニット７８は、画像転写ヘッド８３と画像プラテンロール８４と用いて、カラー用転写リボン５５の転写層３２を中間転写リボン４０へ転写する第１転写工程を行う。
【００７８】
なお、第１転写工程とプライマー転写工程とは同時に進行することが可能である。そして、個人認証媒体１０の投入と同時に転写層３２の転写を行うことによって、次の工程に進むまでの時間が短縮され、総合的な印刷時間を短くすることができる。
【００７９】
画像セル２５が転写された中間転写リボン４０は、中間転写リボン巻取り８５によって巻き取られる。また、プライマー層が転写された個人認証媒体１０は、コンベアーによって運ばれて、中間転写リボン４０の画像位置と個人認証媒体１０の転写位置との位置調整が行われた後、これら中間転写リボン４０と個人認証媒体１０とが密着される。
【００８０】
中間転写リボン４０と個人認証媒体１０とは、相互に密着した状態のままで熱転写ユニット８６へ進入する。熱転写ユニット８６では、中間転写リボン４０が加熱されると共に個人認証媒体１０に対して加圧されることによって、中間転写リボン４０に転写されている画像セル２５、受像層４３、および、剥離保護層４２が個人認証媒体１０に熱転写される。ここで、中間転写リボン４０の中間転写基材４１は中間転写リボン巻取り８５によって剥離され、個人認証媒体１０の最表面は、剥離保護層４２になる。
【００８１】
その後、個人認証媒体１０は、コンベアーによって位置決めされたのち、レーザーユニット５０からレーザー５１を受け、これによって、第４画像表示部２０が転写された部分にさらにレーザーパターニングが行われる。
【００８２】
パターニングが完了した個人認証媒体１０は、冊子排出ユニット８９によって装置から排出される。これによって、個人認証媒体１０に対するパターニングが完了する。
上記実施形態によれば、以下に列挙する効果を得ることができる。
（１）第４画像表示部２０が特徴的な視覚効果を有しているため、個人認証媒体１０の真偽判別が容易である。
（２）複数の画像セル２５の各々が相互に異なる波長の光を所定の視点に向けるため、第４画像表示部２０はカラー画像として画像を表示できる。
（３）第４画像表示部２０の表示する画像は、第４画像表示部２０の視認される方向によって変わる。
【００８３】
（４）第１の画像セル２５ａの回折光は所定の視点に向けられる一方で、第２の画像セル２５ｂの回折光は拡散されるため、第１のパターンの表示する画像と、第２のパターンの表示する画像との差別化が図られる。
（５）第１の画像セル２５ａが相互に重なる複数の転写層３２を有しているため、第４画像表示部２０の表示する画像においてきめ細やかさが高まる。
【００８４】
（６）第２の画像セル２５ｂは、例えば、赤色領域５６の転写層３２に拡散領域５９の転写層３２を重ねるため、第４画像表示部２０の表示する画像においてきめ細やかさが高まる。
【００８５】
（７）受像層４３に含まれる感熱着色剤の変色温度は、接着層３６に含まれる感熱接着剤のガラス転移温度、および、受像層４３に含まれる透明樹脂のガラス転移温度よりも高い。そのため、第４画像表示部２０の製造過程において接着層３６や受像層４３にガラス転移が生じにくい。結果として、接着層３６や受像層４３のガラス転移に起因して第１のパターンの表示する画像、および、第２のパターンの表示する画像は、不明瞭になりにくい。
【００８６】
（８）相互に隣接する画像セル２５に所定の間隔が形成されているため、レーザー５１の照射位置がずれたとしても、その照射位置のずれが画像に与える影響を抑えられる。
【００８７】
なお、上記実施形態は、以下のように適宜変更して実施することもできる。
・レーザーパターニングの分解能は、例えば、０．００２ｍｍ以上、０．００１ｍｍ以下であって、解像度として、約１２７００ｄｐｉ以上、２５４００ｄｐｉ以下に設定することも可能である。すなわち、レーザーによるパターニングの解像度は、サーマルヘッドによるパターニングの解像度に比べて、約１０倍以上に設定することも可能である。そのため、レーザーによる画像のパターニングは、サーマルヘッドによる画像のパターニングに比較して、きめ細やかな表現が可能である。
【００８８】
図１１が示すように、サーマルヘッドよりも高解像度のレーザーユニット５０からレーザー５１が画像セル２５に照射されるとき、受像層４３には、画像セル２５に接する部分よりも小さい範囲で有色部４５が形成される。
【００８９】
こうした構成によれば、個人認証媒体１０が剥離保護層４２側から目視されるとき、有色部４５が第２の画像セル２５ｂよりも小さいため、第２の画像セル２５ｂの部分では、有色部４５の表示する画像が視認されると共に、第２の画像セル２５ｂからの回折光による画像も視認される。
【００９０】
そして、各色によって表示されるカラー画像に、高解像度の有色部４５の表示する黒色の画像が重ねられることによって、きめ細やかな陰影を表現することも可能である。そのため、回折光のみによる画像と比較して、より認識し易い画像を表示することが可能となる。特に、顔画像の細部を表示する構成であれば、こうした高解像度の陰影が有効である。
【００９１】
・レーザー照射工程におけるレーザー５１の照射位置は、カラー原画像の色分解から得られる墨版画像を表示する位置に限らず、表示される画像の内容に応じて適宜変更することも可能である。
【００９２】
・第４画像表示部２０の表示する画像の明瞭さが確保される範囲において、感熱着色剤の変色温度は、接着層３６の感熱着色剤のガラス転移温度、および、受像層４３の透明樹脂のガラス転移温度よりも低くてもよい。
・第２の画像セルは、第２の転写層、上記実施形態でいえば拡散領域５９の転写層３２のみで形成されてもよい。
【００９３】
・第１の画像セル２５ａの有する転写層は、視点に対して所定の波長の回折光を向ける構成であればよく、視点に向けられる回折光の波長は、２種類以下であってもよい。
・第２の画像セル２５ｂは、有色部４５に覆われる画像セル２５であればよく、第２の画像セルは、第２の転写層を含んでいなくともよい。
【００９４】
・シート２１は、紙以外であってもよく、例えば、プラスチック基板、金属基板、セラミックス基板、または、ガラス基板であってもよい。
【００９５】
・画像表示デバイスが表示する画像は、顔画像に加えて他の生体情報を含んでもよいし、顔画像の代わりに他の生体情報を含んでもよい。また、画像表示デバイスが表示する画像は、生体情報に加えて非生体個人情報、および、非個人情報の少なくとも一方を含んでもよいし、生体情報の代わりに非生体個人情報、および、非個人情報の少なくとも一方を含んでもよい。
・画像表示デバイスが表示する画像は、所有者の顔画像に限らず、例えば、文字、数字、記号、図形、模様、これらの組み合わせであってもよい。
・画像表示媒体は、個人認証媒体１０に限らず、例えば、クレジットカード、運転免許証、社員証、会員証等の身分証明書、入学試験用の受験票、パスポート等、紙幣、商品券、ポイントカード、株券、証券、抽選券、馬券、預金通帳、乗車券、通行券、航空券、種々の催事の入場券、遊戯券、交通機関や公衆電話用のプリペイドカードなどであってもよい。
【符号の説明】
【００９６】
１０…個人認証媒体、１１…綴込み紙、１２…表紙、１３…紙面、１４…紙面情報、１５…第１画像表示部、１６…第３画像表示部、１７…第３画像表示部、２０…第４画像表示部、２１…シート、２１ａ…セル形成面、２２…多層構造体、２５…画像セル、２５ａ…第１の画像セル、２５ｂ…第２の画像セル、３０…転写リボン、３１…基材、３２…転写層、３３…剥離層、３４…回折層、３５…反射層、３６…接着層、３７…バックコート層、４０…中間転写リボン、４１…中間転写基材、４２…剥離保護層、４３…受像層、４４…透明部、４５…有色部、５０…レーザーユニット、５１…レーザー、５５…転写リボン、５６…赤色領域、５７…緑色領域、５８…青色領域、５９…拡散領域、６０…位置決めマーク、６１…カラー顔画像、７０…プリンター、７１…挿入ユニット、７２…プライマーユニット、７３…プライマー巻出し、７４…プライマー巻取り、７５…プライマー転写ヘッド、７６…プライマープラテンロール、７７…プライマーリボン、７８…第１転写ユニット、７９…転写リボン巻出し、８０…転写リボン巻取り、８２…中間転写リボン巻出し、８３…画像転写ヘッド、８４…画像プラテンロール、８５…中間転写リボン巻取り、８５…位置決めマーク、８６…熱転写ユニット、８９…冊子排出ユニット。
【図２】
2015123593.tif 000003
【図３】
2015123593.tif 000004
【図４】
2015123593.tif 000005
【図５】
2015123593.tif 000006
【図６】
2015123593.tif 000007
【図７】
2015123593.tif 000008
【図８】
2015123593.tif 000009
【図１０】
2015123593.tif 000010
【図１１】
2015123593.tif 000011
【図１】
2015123593.tif 000012
【図９】
2015123593.tif 000013